(57)【要約】【課題】一つのバルブでタンク内の液体を二箇所以上に分配することができると共に、サンプリングの採取にも使用でき、バルブに要した経費の節減が図れる多方向切り換えバルブを提供する。【解決手段】流入口１０を有するバルブシート１１を固定したバルブ本体１に複数の吐出口５、６を分岐状に設け、上記バルブ本体１の内部に、軸方向への移動によって流入口１０を開閉すると共に、内部が特定の吐出口６と連通する切り換え筒１２を組み込み、この切り換え筒１２の一方の端部に形成した流入開口１４を弁体２１で開閉可能とし、上記バルブ本体１の他方端部側に切り換え筒１２と弁体２１を移動させるための切り換え操作機構２８が設けてある。【選択図】　図１
2004011666.tif 000002
【特許請求の範囲】
【請求項１】
一方の端部が流入口となるバルブ本体に複数の吐出口を分岐状に設け、上記バルブ本体内に、軸方向への移動によって流入口を開閉すると共に、内部が特定の吐出口と連通する切り換え筒を組み込み、この切り換え筒の一方の端部に形成した流入開口を弁体で開閉可能とし、上記バルブ本体の他方端部側に切り換え筒と弁体を移動させるための切り換え操作機構を設けた多方向切り換えバルブ。
【請求項２】
前記切り換え操作機構は、バルブ本体に対して取り付けた回転ハンドルの回動で軸方向に移動する送りねじ軸と弁体をステムでスプリングを介して結合し、このステムに、弁体を流入開口の閉弁方向に引き圧すると同時に、切り換え筒を流入口の閉弁方向に押圧するスプリングを設けた請求項１に記載の多方向切り換えバルブ。
【発明の詳細な説明】
【０００１】
【発明の属する技術分野】
この発明は、多方向切り換えバルブ、更に詳しくは、タンク（容器）のボトムに取り付け、タンク内の液体を必要な量だけ所望する方向に取り出して分配したり、サンプリング採集等として用いるための多方向切り換えバルブに関する。
【０００２】
【従来の技術】
従来、タンク内の液体を取り出すための手段としては、タンクのボトムにボトムバルブを取り付け、このボトムバルブを開閉操作することにより、必要な量だけを取り出す方法がある。又、タンク内液体の確認のため、タンク内液体のサンプルを少量取り出す場合は、タンクのボトムに別途サンプリングバルブを取り付けていた。
【０００３】
【発明が解決しようとする課題】
ところで、上記のような従来のボトムバルブは、タンク内の液体を一方向に排出及び流れを阻止する機能しかないため、二箇所以上に液体の流れを分配制御することができず、このため、二箇所以上に液体の流れを変えようとすると、二個以上のボトムバルブが必要になり、また、タンク内液体のサンプル採取のためにサンプリングバルブを取り付けることも同様に二個以上のバルブが必要になり、従って、何れの場合もバルブに要する設備経費が高くつくという問題がある。
【０００４】
そこで、この発明の課題は、一つのバルブでタンク内の液体を二箇所以上に分配することができると共に、サンプル採取もできるようにし、バルブに要した経費の節減が図れる多方向切り換えバルブを提供することにある。
【０００５】
【課題を解決するための手段】
上記のような課題を解決するため、この発明は、一方の端部が流入口となるバルブ本体に複数の吐出口を分岐状に設け、上記バルブ本体内に、軸方向への移動によって流入口を開閉すると共に、内部が特定の吐出口と連通する切り換え筒を組み込み、この切り換え筒の一方の端部に形成した流入開口を弁体で開閉可能とし、上記バルブ本体の他方端部側に切り換え筒と弁体を移動させるための切り換え操作機構を設けた構成を採用したものである。
【０００６】
上記バルブ本体は、二箇所に分配する場合、上下端にフランジを有する胴部の外面に吐出口を分岐状に設けたバルブボデイをフランジで上下二個結合して形成され、上部バルブボデイの上端フランジに流入口を有するバルブシートが固定され、このバルブ本体の内部に納まる切り換え筒の内部は、流体の通路となって下部バルブボデイの吐出口と連通し、上部バルブボデイの内周面と切り換え筒の外周面の間に設けた隙間が、上部バルブボデイの吐出口と連通する通路となっている。
【０００７】
上記切り換え筒の上端は、バルブシートの流入口を開閉する筒状弁体となり、この筒状弁体の内側が流入開口となり、弁体で開閉可能となる。
【０００８】
上記切り換え操作機構は、バルブ本体に対して取り付けた回転ハンドルの回動で軸方向に移動する送りねじ軸と弁体を、切り換え筒の内部に挿入したステムでスプリングを介して結合し、このステムに、弁体を流入開口の閉弁方向に引き圧すると同時に、切り換え筒を流入口の閉弁方向に押圧するスプリングを設けた構造とすることができる。
【０００９】
タンクのボトムに取り付けた状態で、バルブシートの流入口を筒状弁体で閉鎖し、この筒状弁体の流入開口を弁体で閉鎖すれば、タンク内液体の流出は停止し、この状態で回転ハンドルを回動してステムを押し上げると、弁体が上昇して切り換え筒の流入開口が開放され、タンク内の液体は、流入開口から切り換え筒の内部を通り、下部バルブボデイの吐出口から流出する。
【００１０】
また、切り換え筒の流入開口を弁体で閉じた状態で、ステムを引き下げると、弁体と切り換え筒が一体に下降してバルブシートの流入口が開放され、タンク内の液体は、流入口から切り換え筒の外周面の通路を通って上部バルブボデイの吐出口から流出する。このように、一つのバルブでタンク内の液体を複数に分岐して取り出すことができ、例えば、一方の吐出口を通常の液体取り出しとし、他方の吐出口をサンプルの取り出しとすることでサンプリングバルブとなる。
【００１１】
【発明の実施の形態】
以下、この発明の実施の形態を図示例と共に説明する。
【００１２】
図示の多方向切り換えバルブは、二箇所に分配する場合の実施の形態を示し、バルブ本体１を、上下端にフランジ２、３を有する胴部４の外面に吐出口５又は６を分岐状に設けた上部バルブボデイ７と下部バルブボデイ８を上下に同軸心状に配置し、上下に重なり合うフランジ２、３をボルト・ナット９で結合して形成し、上部バルブボデイ７の上端フランジ２に流入口１０を有するバルブシート１１が固定されている。
【００１３】
上記バルブ本体１の内部に上下動可能に納まる切り換え筒１２は、その上端が、バルブシート１１の流入口１０を開閉する筒状弁体１３となり、この筒状弁体１３の内側が流入開口１４に形成され、この切り換え筒１２の下端は下部バルブボデイ８の下端から突出した状態になっている。
【００１４】
この切り換え筒１２の内部は、上端の流入開口１４から下部途中までが流体の通路１５となり、通路１５は下部の連通孔１６を介して下部バルブボデイ８の吐出口６と連通していると共に、上部バルブボデイ７の内周面上部と切り換え筒１２の外周面の間に設けた隙間が、上部バルブボデイ７の吐出口５と連通する通路１７となり、上部バルブボデイ７の内部下側及び下部バルブボデイ８の内部下側と切り換え筒１２の外周面間は、シール１８と１９によって水密状になっている。
【００１５】
上記切り換え筒１２の内部を上下動可能に貫通するステム２０の上端に、流入開口１４を開閉する弁体２１が固定され、切り換え筒１２の下部とステムの間はシール２２で水密状になっていると共に、ステム２０の下端は下部バルブボデイ８の下部に固定した切り換え操作機構２３と連結されている。
【００１６】
上記切り換え操作機構２３は、下部バルブボデイ８の下端にガイド軸２４を固定し、ガイド軸２４の下端に固定したブラケット２５て切り換え筒１２と同軸心状となるねじ筒２６を回転可能に支持し、このねじ筒２６に回転ハンドル２７を固定すると共に、ねじ筒２６に螺合した送りねじ軸２８の上端に筒状体２９を回転自在に連結し、この筒状体２９に固定した回り止め部材３０をガイド軸２４に係合させ、筒状体２９を上下軸方向に移動可能で回転不能にしている。
【００１７】
上記したステム２０の下端が筒状体２９の内部に嵌合し、筒状体２９の内部にはステム２０を押し上げるスプリング３１が縮設され、ステム２０の途中に形成した段部の部分に下降不能で上昇可能となるよう取り付けたたばね受け３２と切り換え筒１２の下端の間には、上記スプリング３１よりも強い弾性で切り換え筒１２を常時押し上げるスプリング３３が縮設されている。
【００１８】
上記回転ハンドル２７でねじ筒２６を回動させると、送りねじ軸２８とこれに連結した筒状体２９が上昇又は下降し、図１のように、送りねじ軸２８を上下中間位置にセットすると、ステム２０の上端に取り付けた弁体２１が、筒状弁体１３の流入開口１４を閉鎖していると共に、切り換え筒１２の筒状弁体１３はバルブシート１１の流入口１０を閉鎖している。
【００１９】
この発明の多方向切り換えバルブは、上記のような構成であり、タンクＡ内の液体を取り出すための手段として、タンクＡのボトムに上部バルブボデイ７の上部フランジ２で水密に取り付け、バルブシート１１をタンクＡ内に位置させておく。
【００２０】
図１のように、送りねじ軸２８が上下中間位置にセットされた位相にある状態で、ステム２０の上端に取り付けた弁体２１が、筒状弁体１３の流入開口１４を閉鎖していると共に、切り換え筒１２の筒状弁体１３はバルブシート１１の流入口１０を閉鎖し、タンクＡ内の液体の流出がない全閉状態となる。
【００２１】
タンクＡ内の液体を下部バルブボデイ８の吐出口６に取り出す場合は、図２のように、回転ハンドル２７でねじ筒２６を、送りねじ軸２８が上昇する方向に回動させると、送りねじ軸２８と筒状体２９がスプリング３１を圧縮しながら上昇し、筒状体２９の上端でばね受け３２を押し上げることでスプリング３１がステム２０を押し上げることになり、このステム２０の上昇で上端に固定した弁体２１が筒状弁体１３の流入開口１４を開放し、タンクＡ内の液体は、筒状弁体１３の流入開口１４から切り換え筒１２内の通路１５を通り、下部の連通孔１６を介して下部バルブボデイ８の吐出口６に流出する。
【００２２】
このとき、切り換え筒１２の筒状弁体１３はバルブシート１１の流入口１０を閉鎖しているので、上部バルブボデイ７の吐出口５にタンクＡ内の液体が流出することがない。
【００２３】
また、上記した図１の閉鎖状態から、タンクＡ内の液体を上部バルブボデイ７の吐出口５に取り出す場合は、図３のように、回転ハンドル２７でねじ筒２６を、送りねじ軸２８が下降する方向に回動させると、筒状体２９がステム２０の下端大径部２０ａと係合することでステム２０を引き下げることになり、ステム２０の上端に固定した弁体２１は、筒状弁体１３の流入開口１４を閉鎖しているので、ステム２０の引き下げにより弁体２１は切り換え筒１２を一体に引き下げる。
【００２４】
切り換え筒１２が引き下げられると、上端の筒状弁体１３はバルブシート１１の流入口１０から抜けて流入口１０を開放することになり、タンクＡ内の液体は、バルブシート１１の流入口１０から通路１７を通り、上部バルブボデイ７の吐出口５に流出することになる。
【００２５】
このとき、筒状弁体１３は弁体２１で閉鎖されているので、下部バルブボデイ８の吐出口６にタンクＡ内の液体が流出することがない。
【００２６】
上記のように、回転ハンドル２７を回転操作して送りねじ軸２８を上昇又は下降させるだけで、タンクＡ内の液体の取り出しが、上部バルブボデイ７の吐出口５と下部バルブボデイ８の吐出口６の何れかに選択して取り出すことができることになる。
【００２７】
なお、図示の実施の形態は、タンクＡ内の液体を二箇所に分配する例を示したが、吐出口を有するバルブボデイの数を増やすと共に、切り換え筒１２を長くして連通孔をバルブボデイの数に合わせて増やし、切り換え筒１２の移動で連通孔とバルブボデイの吐出口の連通が切り換わるようにすれば、二箇所以上に分配することができ、また、両吐出口５と６の一方を通常の液体取り出しとし、他方をサンプルの取り出しとすることで、多方向切り換えバルブはサンプリングバルブとなる。
【００２８】
【発明の効果】
以上のように、この発明によると、一方の端部が流入口となるバルブ本体に複数の吐出口を分岐状に設け、上記バルブ本体内に、軸方向への移動によって流入口を開閉すると共に、内部が特定の吐出口と連通する切り換え筒を組み込み、この切り換え筒の一方の端部に形成した流入開口を弁体で開閉可能とし、上記バルブ本体の他方端部側に設けた切り換え操作機構で弁体を移動させ、流入口又は流入開口を開閉することで、複数の吐出口に対して液体を切り換え分配するようにしたので、一つのバルブでタンク内の液体を二箇所以上に分配することができ、複数箇所への液体の分配だけでなく、サンプリングバルブとしての用途も可能になり、何れにしても、バルブに要した経費の節減が図れることになる。
【００２９】
また、切り換え筒と弁体の移動を、一つの切り換え操作機構で行うので、構造の小型化と操作の簡略化が図れることになる。
【図面の簡単な説明】
【図１】この発明に係る多方向切り換えバルブの全閉状態を示す縦断正面図
【図２】この発明に係る多方向切り換えバルブの下部吐出口への液体の取り出し状態を示す縦断正面図
【図３】この発明に係る多方向切り換えバルブの上部吐出口への液体の取り出し状態を示す縦断正面図
【符号の説明】
１　　バルブ本体
２　　フランジ
３　　フランジ
４　　胴部
５　　吐出口
６　　吐出口
７　　上部バルブボデイ
８　　下部バルブボデイ
９　　ボルト・ナット
１０　流入口
１１　バルブシート
１２　切り換え筒
１３　筒状弁体
１４　流入開口
１５　通路
１６　連通孔
１７　通路
１８　シール
１９　シール
２０　ステム
２１　弁体
２２　シール
２３　切り換え操作機構
２４　ガイド軸
２５　ブラケット
２６　ねじ筒
２７　回転ハンドル
２８　送りねじ軸
２９　筒状体
３０　回り止め部材
３１　スプリング
３２　ばね受け
３３　スプリング
【図１】
2004011666.tif 000003
【図２】
2004011666.tif 000004
【図３】
2004011666.tif 000005